【手続補正書】
【提出日】平成30年7月4日(2018.7.4)
【手続補正１】
【補正対象書類名】特許請求の範囲
【補正対象項目名】全文
【補正方法】変更
【補正の内容】
【特許請求の範囲】
【請求項１】
ピクチャの少なくとも一部分についての画像データに適用すべき現在の量子化パラメータの代わりに量子化パラメータ予測子を使用して前記画像データを復号するプロセッサであって、前記量子化パラメータ予測子は、前に符号化された隣接部分から得られる複数の量子化パラメータを使用して決定される、プロセッサと、
（ｉ）空気を介して、画像を有するビデオを含む信号を受信するように構成されたアンテナ、（ｉｉ）受信した信号を、前記画像を有する前記ビデオを含む周波数のバンドに制限するように構成されたバンド制限器、または（ｉｉｉ）出力を表示するように構成されたディスプレイのうちの少なくとも１つとを有し、
前記現在の量子化パラメータと前記量子化パラメータ予測子との差分が復号され、前記画像データの復号に使用され、
前記量子化パラメータ予測子は、現在符号化されている部分の左側にある前に符号化された隣接部分、および現在符号化されている部分の上側にある前に符号化された隣接部分の量子化パラメータの平均を、これらの隣接部分が利用可能であるときに見つけることによって決定され、
前記隣接部分の少なくとも一方が利用可能でないときに、前記量子化パラメータ予測子を現在のスライスの量子化パラメータに基づくものとする、装置。
【請求項２】
プロセッサと、
（ｉ）空気を介して、画像を有するビデオを含む信号を受信するように構成されたアンテナ、（ｉｉ）受信した信号を、前記画像を有する前記ビデオを含む周波数のバンドに制限するように構成されたバンド制限器、または（ｉｉｉ）出力を表示するように構成されたディスプレイのうちの少なくとも１つとを有する装置における方法であって、
ピクチャの少なくとも一部分についての画像データに適用すべき現在の量子化パラメータの代わりに量子化パラメータ予測子を使用して前記画像データを復号することであって、前記量子化パラメータ予測子は、前に符号化された隣接部分から得られる複数の量子化パラメータを使用して決定される、ことと、
前記現在の量子化パラメータと前記量子化パラメータ予測子との差分を復号して、前記画像データの復号に使用することと、を有し、
前記量子化パラメータ予測子は、現在符号化されている部分の左側にある前に符号化された隣接部分、および現在符号化されている部分の上側にある前に符号化された隣接部分の量子化パラメータの平均を、これらの隣接部分が利用可能であるときに見つけることによって決定され、
前記隣接部分の少なくとも一方が利用可能でないときに、前記量子化パラメータ予測子を現在のスライスの量子化パラメータに基づくものとする、方法。
【手続補正２】
【補正対象書類名】明細書
【補正対象項目名】００８８
【補正方法】変更
【補正の内容】
【００８８】
また、添付図面を参照して、各実施例を説明したが、本原理は、これらの厳密な実施例に限定される訳ではなく、当業者であれば、本原理の範囲とから逸脱することなく、種々の変更と修正を行うことが出来るであろう。そのような全ての変更と修正は、特許請求の範囲に記載した本原理の範囲内に含まれるものである。
［付記１］
ピクチャの少なくとも一部分についての画像データに適用すべき現在の量子化パラメータの代わりに量子化パラメータ予測子を使用して前記画像データを符号化する符号器（３００）であって、前記量子化パラメータ予測子は、前に符号化された隣接部分から得られる複数の量子化パラメータを使用して決定される、前記符号器を有し、
前記現在の量子化パラメータと前記量子化パラメータ予測子との差分が符号化され、対応する復号器にシグナリングされる、装置。
［付記２］
前記量子化パラメータ予測子は、前記符号器と前記復号器の双方に認知されている規則に基づいて黙示的に導き出される、付記１に記載の装置。
［付記３］
前記規則は、前記複数の量子化パラメータの中から得られる最小値を有する量子化パラメータ、前記複数の量子化パラメータの中から得られる最大値を有する量子化パラメータ、前記複数の量子化パラメータの少なくとも一部の中央値から計算される量子化パラメータ、及び、前記複数の量子化パラメータの少なくとも一部の平均値から計算される量子化パラメータのうちの少なくとも１つに応じて、前記量子化パラメータ予測子を決定すること、及び、選択することの少なくとも一方に関するものである、付記２に記載の装置。
［付記４］
前記量子化パラメータ予測子は、動きベクトル予測について使用されるピクチャの部分と同じピクチャの部分に対応する１つ以上の量子化パラメータから選択され、該１つ以上の量子化パラメータは前記複数の量子化パラメータに含まれているものである、付記１に記載の装置。
［付記５］
動きベクトル競合を使用して動きベクトル予測子を決定する、付記４に記載の装置。
［付記６］
前記画像データは、符号化単位、予測単位、及び、変換単位のうちの１つである、付記１に記載の装置。
［付記７］
前記画像データは前記予測単位であり、前記現在の量子化パラメータと前記量子化パラメータ予測子との前記差分は、前記予測単位が非スキップ・モードにある場合にのみ、符号化されて、前記対応する復号器にシグナリングされる、付記６に記載の装置。
［付記８］
前記画像データは前記変換単位であり、前記現在の量子化パラメータと前記量子化パラメータ予測子との前記差分は、前記変換単位が非ゼロの係数を含む場合にのみ、符号化されて、前記対応する復号器にシグナリングされる、付記１に記載の装置。
［付記９］
ピクチャの少なくとも一部分についての画像データに適用すべき現在の量子化パラメータの代わりに量子化パラメータ予測子を使用して前記画像データを符号化するステップ（５３０，８３０，１０３０）であって、前記量子化パラメータ予測子は、前に符号化された隣接部分から得られる複数の量子化パラメータを使用して決定される（５１５，８１５，１０１５）、前記ステップと、
前記現在の量子化パラメータと前記量子化パラメータ予測子との差分を符号化して（５２５，８２５，１０２５）、対応する復号器にシグナリングするステップと、
を有する、ビデオ符号器における方法。
［付記１０］
前記量子化パラメータ予測子は、前記符号器と前記復号器の双方に認知されている規則に基づいて黙示的に導き出される、付記９に記載の方法。
［付記１１］
前記規則は、前記複数の量子化パラメータの中から得られる最小値を有する量子化パラメータ、前記複数の量子化パラメータの中から得られる最大値を有する量子化パラメータ、前記複数の量子化パラメータの少なくとも一部の中央値から計算される量子化パラメータ、及び、前記複数の量子化パラメータの少なくとも一部の平均値から計算される量子化パラメータのうちの少なくとも１つに応じて、前記量子化パラメータ予測子を決定すること、及び、選択することの少なくとも一方に関するものである、付記１０に記載の方法。
［付記１２］
前記量子化パラメータ予測子は、動きベクトル予測について使用されるピクチャの部分と同じピクチャの部分に対応する１つ以上の量子化パラメータから選択され、該１つ以上の量子化パラメータは前記複数の量子化パラメータに含まれているものである（５１５，８１５，１０１５）、付記９に記載の方法。
［付記１３］
動きベクトル競合を使用して動きベクトル予測子を決定する（５１５，８１５，１０１５）、付記１２に記載の方法。
［付記１４］
前記画像データは、符号化単位（５００）、予測単位（８００）、及び、変換単位（１０００）のうちの１つである、付記９に記載の方法。
［付記１５］
前記画像データは前記予測単位であり、前記現在の量子化パラメータと前記量子化パラメータ予測子との前記差分は、前記予測単位が非スキップ・モードにある場合にのみ、符号化されて、前記対応する復号器にシグナリングされる（８３０）、付記１４に記載の方法。
［付記１６］
前記画像データは前記変換単位であり、前記現在の量子化パラメータと前記量子化パラメータ予測子との前記差分は、前記変換単位が非ゼロの係数を含む場合にのみ、符号化されて、前記対応する復号器にシグナリングされる（１０３０）、付記９に記載の方法。
［付記１７］
ピクチャの少なくとも一部分についての画像データに適用すべき現在の量子化パラメータの代わりに量子化パラメータ予測子を使用して前記画像データを復号する復号器（４００）であって、前記量子化パラメータ予測子は、前に符号化された隣接部分から得られる複数の量子化パラメータを使用して決定される、前記復号器を有し、
前記現在の量子化パラメータと前記量子化パラメータ予測子との差分が、復号され、前記画像データの復号に使用される、装置。
［付記１８］
前記量子化パラメータ予測子は、前記復号器と、対応する符号器との双方に認知されている規則に基づいて黙示的に導き出される、付記１７に記載の装置。
［付記１９］
前記規則は、前記複数の量子化パラメータの中から得られる最小値を有する量子化パラメータ、前記複数の量子化パラメータの中から得られる最大値を有する量子化パラメータ、前記複数の量子化パラメータの少なくとも一部の中央値から計算される量子化パラメータ、及び、前記複数の量子化パラメータの少なくとも一部の平均値から計算される量子化パラメータのうちの少なくとも１つに応じて、前記量子化パラメータ予測子を決定すること、及び、選択することの少なくとも一方に関するものである、付記１８に記載の装置。
［付記２０］
前記量子化パラメータ予測子は、動きベクトル予測について使用されるピクチャの部分と同じピクチャの部分に対応する１つ以上の量子化パラメータから選択され、該１つ以上の量子化パラメータは前記複数の量子化パラメータに含まれているものである、付記１７に記載の装置。
［付記２１］
動きベクトル競合を使用して動きベクトル予測子を決定する、付記２０に記載の装置。
［付記２２］
前記画像データは、符号化単位、予測単位、及び、変換単位のうちの１つである、付記１７に記載の装置。
［付記２３］
前記画像データは前記予測単位であり、前記現在の量子化パラメータと前記量子化パラメータ予測子との前記差分は、前記予測単位が非スキップ・モードにある場合にのみ、復号される、付記２２に記載の装置。
［付記２４］
前記画像データは前記変換単位であり、前記現在の量子化パラメータと前記量子化パラメータ予測子との前記差分は、前記変換単位が非ゼロの係数を含む場合にのみ、復号される、付記１７に記載の装置。
［付記２５］
ピクチャの少なくとも一部分についての画像データに適用すべき現在の量子化パラメータの代わりに量子化パラメータ予測子を使用して前記画像データを復号するステップ（６３０，９３０，１１３０）であって、前記量子化パラメータ予測子は、前に符号化された隣接部分から得られる複数の量子化パラメータを使用して決定される（６１５，９１５，１１１５）、前記ステップと、
前記現在の量子化パラメータと前記量子化パラメータ予測子との差分を復号して（６２０，９２０，１１２０）、前記画像データの復号に使用するステップと、
を有する、ビデオ復号器における方法。
［付記２６］
前記量子化パラメータ予測子は、前記復号器と、対応する符号器との双方に認知されている規則に基づいて黙示的に導き出される、付記２５に記載の方法。
［付記２７］
前記規則は、前記複数の量子化パラメータの中から得られる最小値を有する量子化パラメータ、前記複数の量子化パラメータの中から得られる最大値を有する量子化パラメータ、前記複数の量子化パラメータの少なくとも一部の中央値から計算される量子化パラメータ、及び、前記複数の量子化パラメータの少なくとも一部の平均値から計算される量子化パラメータのうちの少なくとも１つに応じて、前記量子化パラメータ予測子を決定すること、及び、選択することの少なくとも一方に関するものである、付記２６に記載の方法。
［付記２８］
前記量子化パラメータ予測子は、動きベクトル予測について使用されるピクチャの部分と同じピクチャの部分に対応する１つ以上の量子化パラメータから選択され、該１つ以上の量子化パラメータは前記複数の量子化パラメータに含まれているものである（６１５，９１５，１１１５）、付記２５に記載の方法。
［付記２９］
動きベクトル競合を使用して動きベクトル予測子を決定する（６１５，９１５，１１１５）、付記２８に記載の方法。
［付記３０］
前記画像データは、符号化単位（６００）、予測単位（９００）、及び、変換単位（１１００）のうちの１つである、付記２５に記載の方法。
［付記３１］
前記画像データは前記予測単位であり、前記現在の量子化パラメータと前記量子化パラメータ予測子との前記差分は、前記予測単位が非スキップ・モードにある場合にのみ、復号される（９３０）、付記３０に記載の方法。
［付記３２］
前記画像データは前記変換単位であり、前記現在の量子化パラメータと前記量子化パラメータ予測子との前記差分は、前記変換単位が非ゼロの係数を含む場合にのみ、復号される（１１３０）、付記２５に記載の方法。
［付記３３］
ピクチャの少なくとも一部分についての画像データに適用すべき現在の量子化パラメータの代わりに量子化パラメータ予測子を使用して符号化された前記画像データであって、前記量子化パラメータ予測子は、前に符号化された隣接部分から得られる複数の量子化パラメータを使用して決定されたものである、前記画像データを有し、
前記現在の量子化パラメータと前記量子化パラメータ予測子との差分が、対応する復号器にシグナリングされるように符号化されている、符号化されたビデオ信号データを有するコンピュータ可読記憶媒体。